(57)【要約】【課題】構造がシンプルであり、使用者の頭部に簡単にフィットさせることができると共に、掛け心地にも優れる眼鏡を提供すること。【解決手段】本発明は、左右一対のレンズＬを有するフロント部Ｆと、使用者の頭部に沿うように屈曲した本体部１１及び本体部１１の外側に突出して形成された取付突部１２を有するモダン部Ｍと、フロント部Ｆの一端及び取付突部１２を連結する線状のテンプル部Ｔと、を備えた眼鏡１００であって、取付突部１２が、テンプル部Ｔが挿入される溝部を有し、該溝部の幅がテンプル部Ｔの断面における径よりも大きくなっており、モダン部Ｍが取付突部１２を支点として左右方向に回動可能となっている眼鏡１００である。【選択図】図１
2016151752.tif 000002
【特許請求の範囲】
【請求項１】
左右一対のレンズを有するフロント部と、使用者の頭部に沿うように屈曲した本体部及び前記本体部の外側に突出して形成された取付突部を有するモダン部と、前記フロント部の一端及び前記取付突部を連結する線状のテンプル部と、を備えた眼鏡であって、
前記取付突部が、前記テンプル部が挿入される溝部を有し、
該溝部の幅が前記テンプル部の断面における径よりも大きくなっており、
前記モダン部が前記取付突部を支点として左右方向に回動可能となっている眼鏡。
【請求項２】
前記テンプル部が前記溝部内で該溝部の外側側壁部に当接されることにより、前記モダン部の回動が拘束される請求項１記載の眼鏡。
【請求項３】
前記モダン部の回動の際には、前記テンプル部の一部が前記溝部の底面に案内されながら動く請求項１又は２に記載の眼鏡。
【請求項４】
前記本体部の前端が、前記取付突部よりも前方に位置している請求項１〜３のいずれか１項に記載の眼鏡。
【請求項５】
前記溝部の底面が上面視で前側に広がったテーパー状となっている請求項１〜４のいずれか１項に記載の眼鏡。
【請求項６】
前記本体部の後部が上下方向に分岐している請求項１〜５のいずれか１項に記載の眼鏡。
【請求項７】
前記本体部の前部が上下方向に分岐している請求項１〜６のいずれか１項に記載の眼鏡。
【請求項８】
前記モダン部が前記テンプル部から着脱自在となっている請求項１〜７のいずれか１項に記載の眼鏡。
【請求項９】
前記テンプル部の後端部が折れ曲がったＪ字状となっており、
該後端部で前記溝部の底面を上下から挟み込むことにより、前記モダン部が前記テンプル部に取り付けられる請求項１〜８いずれか１項に記載の眼鏡。
【発明の詳細な説明】
【技術分野】
【０００１】
本発明は、眼鏡に関し、更に詳しくは、構造がシンプルであり、使用者の頭部に簡単にフィットさせることができると共に、掛け心地にも優れる眼鏡に関する。
【背景技術】
【０００２】
眼鏡は一般に、左右一対のレンズを有するフロント部と、フロント部の両側から後方に延びるテンプル部と、テンプル部に取り付けられるモダン部とから構成される。
かかる眼鏡は、使用者の頭部を両側からモダン部で挟み込むと共に、モダン部を耳に掛けることにより着用される。
【０００３】
ところで、眼鏡を着用する際、使用者の頭部の形状には個人差があるため、頭部の形状がモダン部の形状に一致しない場合がある。この場合、頭部におけるモダン部のフィット感が極めて悪くなり、その結果、眼鏡がずれ易くなったり、極端には頭痛が生じる恐れがある。
【０００４】
それに対し、近年、眼鏡のフィット感を向上させるため、モダン部の改良が行われている。
例えば、眼鏡フレームのヨロイに基端側が連結されるテンプル本体と、このテンプル本体に連結され、顔の側面を挟むことができる挟み体と、を有し、テンプル本体と挟み体が第一のリンクを介して、第一のリンクがテンプル本体に対してテンプル本体の長手方向に直交する第一の軸の回りを相対的に回転でき、かつ挟み体が第一のリンクに対して第一の軸と平行な第二の軸の回りを相対的に回転できるように連結され、そして、テンプル本体と挟み体とが、挟み体がテンプル本体に対して相対的にスライドでき、かつ挟み体がテンプル本体に対して第一及び第二の軸と平行な第三の軸の回りを相対的に回転できるように連結される眼鏡フレーム用テンプルが知られている（例えば、特許文献１参照）。
【先行技術文献】
【特許文献】
【０００５】
【特許文献１】特開２００８−１０２４５４号公報
【発明の概要】
【発明が解決しようとする課題】
【０００６】
しかしながら、上記特許文献１記載の眼鏡フレーム用テンプルは、構造が複雑であるという欠点がある。
また、モダンの回転がトーションばねにより拘束されているため、モダンを頭部にフィットさせた際には、トーションばねによる部分的な力がモダンから頭部に伝わることになる。その結果、部分的に頭部が圧迫され、掛け心地が悪くなる傾向にある。
【０００７】
本発明は上記事情に鑑みてなされたものであり、構造がシンプルであり、使用者の頭部に簡単にフィットさせることができると共に、掛け心地にも優れる眼鏡を提供することを目的とする。
【課題を解決するための手段】
【０００８】
本発明者らは、上記課題を解決するため鋭意検討したところ、線状のテンプル部が挿入される溝部の幅を、テンプル部の断面における径よりも大きくし、取付突部を支点としてモダン部を左右方向に回動可能とすることにより、上記問題点を解決できることを見出し、本発明を完成させるに至った。
【０００９】
本発明は、（１）左右一対のレンズを有するフロント部と、使用者の頭部に沿うように屈曲した本体部及び本体部の外側に突出して形成された取付突部を有するモダン部と、フロント部の一端及び取付突部を連結する線状のテンプル部と、を備えた眼鏡であって、取付突部が、テンプル部が挿入される溝部を有し、該溝部の幅がテンプル部の断面における径よりも大きくなっており、モダン部が取付突部を支点として左右方向に回動可能となっている眼鏡に存する。
【００１０】
本発明は、（２）テンプル部が溝部内で該溝部の外側側壁部に当接されることにより、モダン部の回動が拘束される上記（１）記載の眼鏡に存する。
【００１１】
本発明は、（３）モダン部の回動の際には、テンプル部の一部が溝部の底面に案内されながら動く上記（１）又は（２）に記載の眼鏡に存する。
【００１２】
本発明は、（４）本体部の前端が、取付突部よりも前方に位置している上記（１）〜（３）のいずれか１つに記載の眼鏡に存する。
【００１３】
本発明は、（５）溝部の底面が上面視で前側に広がったテーパー状となっている上記（１）〜（４）のいずれか１つに記載の眼鏡に存する。
【００１４】
本発明は、（６）本体部の後部が上下方向に分岐している上記（１）〜（５）のいずれか１つに記載の眼鏡に存する。
【００１５】
本発明は、（７）本体部の前部が上下方向に分岐している上記（１）〜（６）のいずれか１つに記載の眼鏡に存する。
【００１６】
本発明は、（８）モダン部がテンプル部から着脱自在となっている上記（１）〜（７）のいずれか１つに記載の眼鏡に存する。
【００１７】
本発明は、（９）テンプル部の後端部が折れ曲がったＪ字状となっており、該後端部で溝部の底面を上下から挟み込むことにより、モダン部がテンプル部に取り付けられる上記（１）〜（８）のいずれか１つに記載の眼鏡に存する。
【発明の効果】
【００１８】
本発明の眼鏡においては、線状のテンプル部が挿入される溝部の幅を、テンプル部の断面における径よりも大きくし、取付突部を支点としてモダン部を左右方向に回動可能とすることにより、使用者の頭部の形状に合わせて、屈曲したモダン部の本体部を簡単にフィットさせることができる。
また、モダン部が一定範囲内で自由に回動することが可能となるので、フィットさせる際に不要な力がモダン部に加わらず、掛け心地に極めて優れるものとなる。
さらに、特別なリンク機構等を設けないため、部品点数が少なく、又、切削加工や溶接加工が不要で、製造コストが低い、シンプルな構造とすることができる。さらに、切削加工や溶接加工がないことで、破損なども少なくなる。
【００１９】
本発明の眼鏡においては、テンプル部を溝部の外側の側壁（以下「外側側壁部」ともいう。）に当接させ、モダン部の回動を拘束しているので、モダン部が回動し過ぎることを防止することができる。
【００２０】
本発明の眼鏡においては、モダン部の回動の際に、テンプル部の一部が溝部の底面に案内されながら動くので、モダン部の先端又は後端が上下方向にぶれることを防止することができる。
また、溝部の底面が上面視で前側に広がったテーパー状となっている場合、テンプル部が、溝部内で本体部又は溝部の外側側壁部に当接される際に、線接触されることになるので、テンプル部への当接による衝撃を軽減することができる。
【００２１】
本発明の眼鏡においては、本体部の前端が、取付突部よりも前方に位置している場合、頭部にフィットさせた際の安定度に優れる。
【００２２】
本発明の眼鏡においては、本体部の後部が上下方向に分岐している場合、頭部にフィットさせた際に、安定度を向上させることができる。
また、本体部の前部が上下方向に分岐している場合、頭部にフィットさせた際に、安定度を向上させることができる。
さらに、後部が上下方向に分岐しており、且つ、本体部の前部が上下方向に分岐している場合、これらの４点で頭部にフィットさせることができるので、安定度を極めて向上させることができる。
【００２３】
本発明の眼鏡においては、モダン部がテンプル部から着脱自在となっているので、破損等が生じた場合に簡単に取り換えることができる。
また、衣装や髪型等に応じて、異なるデザインのモダン部に交換することもできる。
【００２４】
本発明の眼鏡においては、外側側壁部が板バネになっている場合、モダン部が回動しテンプル部が溝部内で外側側壁部に当接された際に、外側側壁部が当接による衝撃力を逃がすので、テンプル部の変形や破損を抑制することができる。特に、テンプル部が細く、曲がりやすい材質である場合は、より効果的である。
【００２５】
本発明の眼鏡においては、テンプル部の後端部が下方向に折れ曲がったＪ字状となっており、該後端部で溝部の底面を上下から挟み込むことにより、モダン部がテンプル部に取り付けられるものである場合、モダン部の着脱が極めて容易となる。
また、テンプル部後端部の曲げる位置を、長さ方向で調整することが容易である。例えば、店頭において、テンプル部後端部を適当な位置で曲げることにより、テンプル部の長さを使用者に合う長さとすることができる。
さらに、テンプル部が線状であるため、トーションバネのように縦方向に所定の自由度を有する。このため、着用の際には、モダン部が左右方向のみならず上下方向（捻り方向）にも頭にフィットさせることができる。
【図面の簡単な説明】
【００２６】
【図１】図１は、本発明に係る眼鏡の第１実施形態を示す斜視図である。
【図２】図２は、第１実施形態に係る眼鏡のテンプル部の一部を示す側面図である。
【図３】図３の（ａ）は、第１実施形態に係る眼鏡のモダン部を示す上面図であり、図３の（ｂ）は、その側面図である。
【図４】図４の（ａ）及び図４の（ｂ）は、第１実施形態に係る眼鏡においてモダン部を回動させた状態を説明するための上面図である。
【図５】図５は、第１実施形態に係る眼鏡を使用者が着用した状態を示す模式上面図である。
【図６】図６は、本発明に係る眼鏡の第２実施形態を示す斜視図である。
【図７】図７の（ａ）及び図７の（ｂ）は、第２実施形態に係る眼鏡においてモダン部を回動させた状態を説明するための上面図である。
【図８】図８は、本発明に係る眼鏡の第３実施形態を示す斜視図である。
【図９】図９の（ａ）は、第３実施形態に係る眼鏡のモダン部を示す上面図であり、図９の（ｂ）は、その側面図である。
【図１０】図１０の（ａ）及び図１０の（ｂ）は、第３実施形態に係る眼鏡においてモダン部を回動させた状態を説明するための上面図である。
【発明を実施するための形態】
【００２７】
以下、必要に応じて図面を参照しつつ、本発明の好適な実施形態について詳細に説明する。なお、図面中、同一要素には同一符号を付すこととし、重複する説明は省略する。また、図面の寸法比率は図示の比率に限られるものではない。
【００２８】
（第１実施形態）
図１は、本発明に係る眼鏡の第１実施形態を示す斜視図である。
図１に示すように、第１実施形態に係る眼鏡１００は、左右一対のレンズＬを有するフロント部Ｆと、フロント部Ｆの両側からそれぞれ後方に延びるテンプル部Ｔと、各テンプル部Ｔに取り付けられるモダン部Ｍと、を備える。
なお、レンズＬは、市販のものを適宜採用することができる。
【００２９】
フロント部Ｆは、左右一対のレンズＬと、両レンズＬを架橋するブリッジ１と、ブリッジ１に連結された鼻パッド２と、を有する。なお、鼻パッド２は、使用者が眼鏡１００を着用する際に、使用者の鼻に掛けられる。
また、フロント部Ｆの両側には、それぞれ、ヒンジを介してテンプル部Ｔが折畳み可能となるように取付けられている。
【００３０】
テンプル部Ｔは、線状であり、フロント部Ｆの一端と、後述するモダン部Ｍの取付突部とを連結している。
図２は、第１実施形態に係る眼鏡のテンプル部Ｔの一部を示す側面図である。
図２に示すように、テンプル部Ｔは、後端部ＴＢが下方向に折れ曲がったＪ字状となっている。
【００３１】
このため、テンプル部Ｔにおいては、テンプル部Ｔの後端部ＴＢで、後述するモダン部Ｍの取付突部の溝部の底面を挟み込むことにより、テンプル部Ｔがモダン部Ｍに留められるようになっている（図１参照）。
また、テンプル部Ｔ後端部ＴＢのＪ字状に曲げる位置を、テンプル部Ｔの長さ方向で簡単に調整することができる。例えば、店頭にて、使用者の頭部に合うようにテンプル部Ｔの長さを調整し、後端部ＴＢをＪ字状に曲げればよい。
さらに、テンプル部が線状であるため、トーションバネのように縦方向に所定の動きの自由度を有する。このため、着用の際には、モダン部が左右方向のみならず上下方向にも頭にフィットさせることができる。すなわち、モダン部Ｍの捻り方向の動きの自由度が確保される。
【００３２】
図３の（ａ）は、第１実施形態に係る眼鏡のモダン部を示す上面図であり、図３の（ｂ）は、その側面図である。
図３の（ａ）に示すように、モダン部Ｍは、使用者の頭部に沿うように屈曲した本体部１１と、本体部１１の外側に突出して形成された取付突部１２とを有する。
【００３３】
本体部１１においては、前端Ｐが取付突部１２よりも前方に位置している。すなわち、本体部１１は、取付突部１２から後方のみならず前方にも延びた構造となっている。これにより、頭部を把持する際のモダン部Ｍの接触面積が大きくなるので、頭部にフィットさせた際の安定度が向上する。
そして、本体部１１は、全体が内側に屈曲した構造となっており、使用者が眼鏡１００を着用した際に、使用者の頭部の側面に沿うようになっている。
【００３４】
図３の（ｂ）に示すように、本体部１１においては、取付突部１２から前方を前部１１ａ、取付突部１２から後方を後部１１ｂとした場合に、本体部１１の前部１１ａが上方向に分岐した上枝部１１ａ１と、下方向に分岐した下枝部１１ａ２を有しており、本体部１１の後部１１ｂも上方向に分岐した上枝部１１ｂ１と、下方向に分岐した下枝部１１ｂ２とを有している。
これにより、使用者が眼鏡１００を着用した場合、モダン部Ｍの上枝部１１ａ１及び下枝部１１ａ２、並びに、上枝部１１ｂ１及び下枝部１１ｂ２の４点で頭部にフィットさせることができるので、安定度を極力向上させることができる。
【００３５】
図３の（ａ）に戻り、取付突部１２は、周囲に溝部を有している。
ここで、溝部の底面１２ａは、平面となっており、上述したように、テンプル部の後端部ＴＢで上下から挟み込むことにより、モダン部Ｍがテンプル部Ｔにワンタッチで取り付けられる（図１参照）。なお、テンプル部Ｔの後端部ＴＢは、溝部の底面１２ａに圧接されることになる。
【００３６】
ここで、テンプル部Ｔが挿入される溝部の幅は、テンプル部Ｔの断面における径よりも大きくする。
これにより、テンプル部Ｔが左右にスライドすることが可能となる。換言すると、テンプル部Ｔに対して、モダン部Ｍを、取付突部１２を支点として、上面視で左右方向に回動させることが可能となる。
【００３７】
取付突部１２において、当該溝部の底面１２ａの外側には、外側側壁部１２ｂが設けられている。
したがって、テンプル部Ｔは、本体部１１と外側側壁部１２ｂとの間の溝部の底面１２ａ上に位置することになる。
このことにより、眼鏡１００は、側面視では、外側側壁部１２ｂにより、内側のテンプル部Ｔを隠すことができる。
【００３８】
図１に戻り、第１実施形態に係る眼鏡１００においては、上述したように、テンプル部Ｔの後端部ＴＢが、モダン部Ｍの溝部の底面１２ａに上下方向に挟み込まれていることだけで、テンプル部Ｔがモダン部Ｍに取り付けられている。
したがって、モダン部Ｍを前方に押し込むことにより、テンプル部Ｔから簡単に外すことができ、反対に後方に引くことにより簡単に取り付けることができる。このため、破損等が生じた場合に容易に取り換えることができ、衣装や髪型等に応じて、異なるデザインのモダン部に交換することも可能である。
【００３９】
図４の（ａ）及び（ｂ）は、第１実施形態に係る眼鏡においてモダン部を回動させた状態を説明するための上面図である。
第１実施形態に係る眼鏡１００においては、モダン部Ｍがテンプル部Ｔに取り付けられた状態から、図４の（ａ）に示すように、モダン部Ｍの後端部ＭＢを内側（図４でいう上側）に移動させると、モダン部Ｍは、取付突部１２を支点として回動する。
その後、テンプル部Ｔが溝部内で本体部１１側の側壁に当接されることにより、又は、テンプル部Ｔの後端部ＴＢが外側側壁部１２ｂに当接されることにより、モダン部Ｍの内側方向への回動が拘束される。
なお、テンプル部Ｔが本体部１１側の側壁に当接する前に、前方でテンプル部Ｔが本体部１１に当接するようにすれば、溝部の側壁に負担がかかりにくい。
一方、図４の（ｂ）に示すように、モダン部Ｍの後端部ＭＢを外側（図４でいう下側）に移動させると、モダン部Ｍは、取付突部１２を支点として回動する。
その後、テンプル部Ｔが溝部内で外側側壁部１２ｂに当接されることにより、又は、テンプル部Ｔの後端部ＴＢが本体部１１側の側壁に当接されることにより、モダン部Ｍの回動が拘束される。
【００４０】
したがって、モダン部Ｍは、上述した構造のようにテンプル部Ｔに取り付けられているので、比較的小さい抵抗で回動することができる。
また、モダン部Ｍが一定範囲内で自由に回動することが可能となっており、テンプル部Ｔが取付突部１２の溝部内の側壁、若しくは本体部１１側の側壁又は外側側壁部１２ｂに当接されることにより、当該回動が拘束されるようになっているので、モダン部が過剰に回動して破損又は変形することを防止することができる。
さらに、テンプル部Ｔは、一部が溝部の底面１２ａの上に接しているので、モダン部Ｍの回動時に、テンプル部Ｔが溝部の底面１２ａに案内されながら動くことになる。これにより、回動の際に、モダン部Ｍの先端又は後端が上下方向にぶれることを防止することができる。
【００４１】
図５は、第１実施形態に係る眼鏡を使用者が着用した状態を示す模式上面図である。
図５に示すように、第１実施形態に係る眼鏡１００は、使用者の頭部を両側からモダン部Ｍで挟み込むと共に、モダン部Ｍが頭部を把持することにより着用される。
このとき、本体部１１（モダン部Ｍ）が内側に屈曲しているので、使用者の頭部の形状に沿わせて簡単にフィットさせることができる。
また、眼鏡１００においては、フィットさせる際、モダン部Ｍが取付突部１２を支点として回動する自由度があるので、不要な力がモダン部Ｍに加わることがなく、掛け心地に極めて優れるものとなる。
これにより、フィッティング技術の乏しい販売員や、通信販売等で購入した使用者でも特にフィッティング作業をすることなく、快適に掛けることが可能となる。
さらに、眼鏡１００全体として見た場合、特別なリンク機構等を設けないため、部品点数が少なく、又、切削加工や溶接加工が不要で、製造コストが低い、シンプルな構造とすることができる。さらに、切削加工や溶接加工がないことで、破損なども少なくなる。
【００４２】
（第２実施形態）
図６は、本発明に係る眼鏡の第２実施形態を示す斜視図である。
図６に示すように、第２実施形態に係る眼鏡１０１は、左右一対のレンズＬ、両レンズＬを架橋するブリッジ１及びブリッジ１に連結された鼻パッド２を有するフロント部Ｆと、フロント部Ｆの両側からそれぞれ後方に延びるテンプル部Ｔと、各テンプル部Ｔに取り付けられるモダン部Ｍ１と、を備える。
また、モダン部Ｍ１は、本体部２１と、本体部２１の外側に突出して形成された取付突部１２とを有し、本体部２１には、本体部２１の前端Ｐから外側（左右方向）に延出した下壁部Ｐ１が形成されている。
すなわち、第２実施形態に係る眼鏡１０１は、モダン部Ｍ１の本体部２１が下壁部Ｐ１を有すること以外は、第１実施形態に係る眼鏡１００と同一である。
【００４３】
下壁部Ｐ１は、上面が平面となっており、且つ、溝部の底面１２ａと同一平面となっている。これにより、テンプル部Ｔにモダン部Ｍ１を取り付けた場合は、テンプル部Ｔが部分的に溝部の底面１２ａ及び下壁部Ｐ１の上に接することになる。
【００４４】
図７の（ａ）及び図７の（ｂ）は、第２実施形態に係る眼鏡においてモダン部を回動させた状態を説明するための上面図である。
第２実施形態に係る眼鏡１０１おいては、モダン部Ｍ１がテンプル部Ｔに取り付けられた状態から、図７の（ａ）に示すように、モダン部Ｍ１の後端部を内側（図７でいう上側）に移動させると、モダン部Ｍ１は、取付突部１２を支点として回動する。
その後、テンプル部Ｔが溝部内で本体部２１側の側壁に当接されることにより、又は、テンプル部Ｔの後端部ＴＢが外側側壁部１２ｂに当接されることにより、モダン部Ｍ１の内側方向への回動が拘束される。
一方、図７の（ｂ）に示すように、モダン部Ｍ１の後端部を外側（図７でいう下側）に移動させると、モダン部Ｍ１は、取付突部１２を支点として回動する。
その後、テンプル部Ｔが溝部内で外側側壁部１２ｂに当接されることにより、又は、テンプル部Ｔの後端部ＴＢが本体部１１側の側壁に当接されることにより、モダン部Ｍ１の回動が阻止される。
【００４５】
したがって、モダン部Ｍ１は、上述した構造のようにテンプル部Ｔに取り付けられているので、比較的小さい抵抗で回動することができる。
また、モダン部Ｍ１が一定範囲内で自由に回動することが可能となっており、テンプル部Ｔが取付突部１２の溝部内で本体部２１側の側壁又は外側側壁部１２ｂに当接されることにより、当該回動が拘束されるようになっているので、モダン部が過剰に回動して破損又は変形することを防止することができる。
さらに、テンプル部Ｔは、部分的に溝部の底面１２ａ及び下壁部Ｐ１の上に接しているので、モダン部Ｍ１の回動時に、テンプル部Ｔが溝部の底面１２ａ及び下壁部Ｐ１に案内されながら動くことになる。これにより、回動の際に、モダン部Ｍ１の先端又は後端が上下方向にぶれることを防止することができる。
【００４６】
（第３実施形態）
図８は、本発明に係る眼鏡の第３実施形態を示す斜視図である。
図８に示すように、第３実施形態に係る眼鏡１０２は、左右一対のレンズＬ、両レンズＬを架橋するブリッジ１及びブリッジ１に連結された鼻パッド２を有するフロント部Ｆと、フロント部Ｆの両側からそれぞれ後方に延びるテンプル部Ｔと、各テンプル部Ｔに取り付けられるモダン部Ｍ２と、を備える。
すなわち、第３実施形態に係る眼鏡１０２は、モダン部Ｍ２の形状が異なること以外は、第１実施形態に係る眼鏡１００と同一である。
【００４７】
図９の（ａ）は、第３実施形態に係る眼鏡のモダン部を示す上面図であり、図９の（ｂ）は、その側面図である。
図９の（ａ）及び図９の（ｂ）に示すように、モダン部Ｍ２は、本体部３１と、本体部３１の外側に突出して形成された取付突部３２とを有し、本体部３１には、本体部３１の前端Ｐから外側（左右方向）に延出した上壁部Ｐ２及び下壁部Ｐ３が形成されている。
【００４８】
上壁部Ｐ２及び下壁部Ｐ３は、平行となっており、互いの向かい合う面が平面となっている。
また、上壁部Ｐ２と下壁部Ｐ３との間には、テンプル部Ｔが位置するようになっている。
【００４９】
取付突部３２は、上下に上壁部Ｐ２と下壁部Ｐ３とで形成される溝部を有している。
ここで、上下の溝部の底面３２ａは、それぞれ平面となっており、上述したように、テンプル部Ｔの後端部ＴＢで上下から挟み込むことにより、モダン部Ｍ２がテンプル部Ｔに取り付けられる（図８参照）。なお、テンプル部Ｔの後端部ＴＢは、溝部の底面３２ａに圧接されることになる。
したがって、第３実施形態に係る眼鏡１０２においてもモダン部Ｍ２をテンプル部Ｔから簡単に着脱することが可能となっている。
また、溝部の底面３２ａは、上記下壁部Ｐ３と面一となるように延びており、且つ、テンプル部Ｔの一部が溝部の底面３２ａ及び下壁部Ｐ３の上に接している。
【００５０】
眼鏡１０２において、当該溝部の底面３２ａの外側には、外側側壁部３２ｂが設けられている。
したがって、テンプル部Ｔは、本体部３１と外側側壁部３２ｂとの間の溝部の底面３２ａ上に位置することになる。
ここで、溝部の底面３２ａは、本体部３１と外側側壁部３２ｂとに挟まれた形状が上面視で前側に広がったテーパー状となっている。これにより、テンプル部Ｔが、溝部内で本体部３１又は外側側壁部３２ｂに当接される際に、線接触されることになるので、テンプル部Ｔへの衝撃を軽減することができる。
【００５１】
図１０の（ａ）及び図１０の（ｂ）は、第３実施形態に係る眼鏡においてモダン部を回動させた状態を説明するための上面図である。
第３実施形態に係る眼鏡１０２においては、モダン部Ｍ２がテンプル部Ｔに取り付けられた状態から、図１０の（ａ）に示すように、モダン部Ｍ２の後端部を内側（図１０でいう上側）に移動させると、モダン部Ｍ２は、取付突部３２を支点として回動する。
その後、テンプル部Ｔが溝部内で本体部３１側の側壁に当接されることにより、又は、テンプル部Ｔの後端部ＴＢが外側側壁部１２ｂに当接されることにより、モダン部Ｍ２の内側方向への回動が拘束される。
一方、図１０の（ｂ）に示すように、モダン部Ｍ２の後端部を外側（図１０でいう下側）に移動させると、モダン部Ｍ２は、取付突部３２を支点として回動する。
その後、テンプル部Ｔが溝部内で外側側壁部３２ｂに当接されることにより、又は、テンプル部Ｔの後端部ＴＢが本体部３１側の側壁に当接されることにより、モダン部Ｍ２の回動が拘束される。
【００５２】
したがって、モダン部Ｍ２は、上述した構造のようにテンプル部Ｔに取り付けられているので、比較的小さい抵抗で回動することができる。
また、モダン部Ｍ２が一定範囲内で自由に回動することが可能となっており、テンプル部Ｔが溝部内で本体部３１側の側壁又は外側側壁部３２ｂに当接されることにより、当該回動が拘束されるようになっているので、モダン部が過剰に回動して破損又は変形することを防止することができる。
さらに、テンプル部Ｔは、一部が溝部の底面３２ａ、下壁部Ｐ３の上面、及び、上壁部Ｐ２の下面に接しているので、モダン部Ｍ２の回動時に、テンプル部Ｔがこれらの面に案内されながら動くことになる。これにより、回動の際に、モダン部Ｍ２の先端又は後端が上下方向にぶれることを防止することができる。
【００５３】
以上、本発明の好適な実施形態について説明したが、本発明は上記実施形態に限定されるものではない。
【００５４】
例えば、本実施形態に係る眼鏡において、フロント部Ｆは、左右一対のレンズＬと、両レンズＬを架橋するブリッジ１と、ブリッジ１に連結された鼻パッド２と、を有しているが、レンズＬは、フレームに取り付けられたものであってもよく、フレームのみでレンズがないものであってもよい。
また、フロント部は、鼻パッド２を有していなくてもよい。
【００５５】
本実施形態に係る眼鏡においては、テンプル部Ｔの形状が、線状となっているが、これに限定されない。
また、テンプル部Ｔの外側に装飾が施されていてもよい。
【００５６】
本実施形態に係る眼鏡において、本体部１１は、前端Ｐが取付突部１２よりも前方に位置しているが、必ずしも必須の構成ではない。
本実施形態に係る眼鏡において、本体部１１の前部１１ａが上方向に分岐した上枝部１１ａ１と、下方向に分岐した下枝部１１ａ２を有しており、本体部１１の後部１１ｂが上方向に分岐した上枝部１１ｂ１と、下方向に分岐した下枝部１１ｂ２とを有しているが、必ずしも分岐している必要はない。また、これらは、更に分岐していてもよい。
【００５７】
本実施形態に係る眼鏡において、取付突部は、その周囲、又は、上下に溝部を有しているが、これに限定されない。上側又は下側の少なくとも一方に溝部を有していればよい。
また、溝部の底面１２ａが平面となっているが、必ずしも平面である必要はない。
【産業上の利用可能性】
【００５８】
本発明は、近視用、老眼用、乱視用、ファッション用等の眼鏡として用いることができる。本発明によれば、構造がシンプルであり、使用者の頭部に簡単にフィットさせることができると共に、掛け心地にも優れる眼鏡を提供することができる。
【符号の説明】
【００５９】
１・・・ブリッジ
２・・・鼻パッド
１１，２１，３１・・・本体部
１１ａ・・・前部
１１ａ１，１１ｂ１・・・上枝部
１１ａ２，１１ｂ２・・・下枝部
１１ｂ・・・後部
１２，３２・・・取付突部
１２ａ，３２ａ・・・溝部の底面
１２ｂ，３２ｂ・・・外側側壁部
１００，１０１，１０２・・・眼鏡
Ｆ・・・フロント部
Ｌ・・・レンズ
Ｍ，Ｍ１，Ｍ２・・・モダン部
Ｐ・・・前端
Ｐ１，Ｐ３・・・下壁部
Ｐ２・・・上壁部
Ｔ・・・テンプル部
ＴＢ・・・後端部
【図１】
2016151752.tif 000003
【図２】
2016151752.tif 000004
【図３】
2016151752.tif 000005
【図４】
2016151752.tif 000006
【図５】
2016151752.tif 000007
【図６】
2016151752.tif 000008
【図７】
2016151752.tif 000009
【図８】
2016151752.tif 000010
【図９】
2016151752.tif 000011
【図１０】
2016151752.tif 000012